(57)【要約】【課題】  加工カムが固定カムのカム面に衝き当たった際に叩き出されるのを防止する。【解決手段】  プレス加工装置７０は、プレス金型の一方の型３に固定した固定カム４と、プレス金型の他方の型１に相対移動可能に配設された加工カム２と、プレス金型の衝合動作に連動して、固定カム４のカム面６に沿って加工カム２を所定の待機位置から加工位置に移動させるカム機構とを備えたプレス加工装置において、プレス金型１，３の衝合動作において、加工カム２が固定カム４のカム面６に接触したときに、加工カム２が固定カム４のカム面６に沿って移動するように加工カム２の動作を規制する規制部材１０を備えている。【選択図】図１
2006272369.tif 000002
【特許請求の範囲】
【請求項１】
プレス金型の一方の型に固定した固定カムと、
前記プレス金型の他方の型に相対移動可能に配設された加工カムと、
前記プレス金型の衝合動作に連動して、前記固定カムのカム面に沿って加工カムを所定の待機位置から加工位置に移動させるカム機構とを備えたプレス加工装置において、
前記プレス金型の衝合動作において、前記加工カムが前記固定カムのカム面に衝き当たったときに、前記加工カムが前記固定カムのカム面に沿って移動するように前記加工カムの動作を規制する規制部材を備えていることを特徴とするプレス加工装置。
【請求項２】
前記規制部材は、前記固定カムと前記加工カムのそれぞれに配設され、プレス金型の衝合動作に伴って前記固定カムのカム面に前記加工カムが衝き当たったときに、相互に係合する一対の規制部材であることを特徴とする請求項１に記載のプレス加工装置。
【請求項３】
前記一対の規制部材を、プレス金型の離隔動作時に相互に係合し、前記加工カムを前記ワーク加工位置から離脱させる強制戻し機構に構成したことを特徴とする請求項２に記載のプレス加工装置。
【発明の詳細な説明】
【技術分野】
【０００１】
本発明は、プレス加工装置に関し、詳しくは固定カムと、固定カムのカム面により所定の加工位置に押し出される加工カムとを備えたプレス加工装置に関するものである。
【背景技術】
【０００２】
板状ワークの端縁を折り曲げ加工するプレス加工装置には、プレス金型の他方の型に相対移動可能に配設された加工カムと、プレス金型の衝合動作に連動して、固定カムのカム面に沿って加工カムを所定の待機位置から加工位置に移動させるカム機構とを備えたものがある。この種のプレス加工装置には、例えば、加工カムを上型の下面に吊り下げた吊りカムタイプと、加工カムを下型に設置した下置きカムタイプがある。
【０００３】
吊りカムタイプのプレス加工装置５０は、図７に示すように、上型１の下面に沿って矢印Ｘ方向に相対移動可能に配設した加工カム２と、加工カム２に対向させて下型３に配設した固定カム４とを備えている。加工カム２は、上型１が上方に位置するときは、上型１との間に装着された戻しばね５の弾性力により、所定の待機位置に位置している。上型１が下降すると、図８に示すように、戻しばね５の弾性力に抗して、加工カム２は固定カム４の傾斜したカム面６に沿って所定の加工位置に押し出される。このとき、加工カム２の先端の加工刃７がワークＷに押し当たりワークＷを折り曲げる。ワークＷを加工した後に上型１が上昇すると、戻しばね５の弾性反力により加工カム２は元の待機位置に戻される。
【０００４】
下置きカムタイプのプレス加工装置６０は、図９に示すように、加工カム２を下型３の上面に沿って矢印Ｙ方向に相対移動可能に配設し、固定カム４を加工カム２に対向させて下型３に配設したものである。加工カム２は、上型１が上方に位置するときは、下型３との間に装着された戻しばね５の弾性力により、所定の待機位置に位置している。上型１が下降すると、図１０に示すように、加工カム２は固定カム４の傾斜したカム面６に沿って押し出され、加工刃７がワークＷに押し当たりワークＷを折り曲げる。ワークＷを加工した後に上型１が上昇すると、戻しばね５の弾性反力により加工カム２は元の待機位置に戻される。
【０００５】
この種のプレス加工装置は、寄曲げ加工の際に、加工カム２の加工刃７がワークＷに噛み込み、上型１を上昇させた際に、戻しばね５の弾性反力だけでは加工カム２が加工位置へ戻らない不具合が発生する場合があった。このため、上型１の上昇動作に合わせて、加工カム２を機械的係合により強制的に、加工位置から離脱させる強制戻し機構を備えたものも提案されている（特許文献１）。
【特許文献１】特開２００２−１７２４３７号公報
【発明の開示】
【発明が解決しようとする課題】
【０００６】
ところで、近年、この種のプレス加工装置は、生産性を向上させる観点から、プレス作業の高速化が図られている。しかし、プレス金型の衝合動作を高速で行なうと、加工カム２が固定カム４のカム面６に勢いよく衝き当たり、その反動で加工カム２がカム面６に叩き出される可能性がある。加工カム２が固定カム４のカム面６に叩き出されると、例えば、叩き出された加工カム２が不適切にワークに当たり加工不良を生じさせたり、プレス金型の他の部材に衝突してプレス金型内の他の部材や加工カムが破損したりする不具合が生じる可能性がある。特に、ワークに対し、複数の方向からそれぞれ所定のタイミングで加工カムを進出させて協働して寄曲げ加工を行なうような場合にあっては、各加工カムの動作タイミングを合わせることが極めて重要であり、プレス加工の高速化を図る場合に、加工カムが叩き出される動作は不具合を生じさせる要因となり易い。
【０００７】
加工カム２が叩き出される動作に対し、加工カム２を待機位置に付勢する戻しばね５の弾性力を強くし、加工カム２が叩き出される動作を抑えることで対抗することも考えられる。しかし、戻しばね５の弾性力を強くすると、加工後に加工カム２が勢い良く戻され、加工カム２のカムホルダを破損させるなどの新たな問題が生じる可能性があり、更なる高速化に対応するには限界がある。
【課題を解決するための手段】
【０００８】
本発明に係るプレス加工装置は、プレス金型の一方の型に固定した固定カムと、プレス金型の他方の型に相対移動可能に配設された加工カムと、プレス金型の衝合動作に連動して、固定カムのカム面に沿って加工カムを所定の待機位置から加工位置に移動させるカム機構とを備えたプレス加工装置において、プレス金型の衝合動作において、加工カムが固定カムのカム面に接触したときに、加工カムが固定カムのカム面に沿って移動するように加工カムの動作を規制する規制部材を備えていることを特徴としている。
【発明の効果】
【０００９】
このプレス加工装置によれば、プレス金型の衝合動作において、加工カムが固定カムのカム面に接触したときに、加工カムが固定カムのカム面に沿って移動するように加工カムの動作を規制する規制部材を備えているので、プレス金型の衝合動作を高速化しても、加工カムの動作が規制部材により規制され、加工カムが固定カムのカム面に接触したときに、加工カムが固定カムのカム面に沿って移動するので、加工カムが固定カムのカム面から叩き出されるという不具合を確実に防止することができる。これによりプレス加工の高速化の要求にも適正に応じることができる。
【発明を実施するための最良の形態】
【００１０】
以下、本発明の一実施形態に係るプレス加工装置を図面に基づいて説明する。なお、同じ作用を奏する部材・部位には同じ符号を付して説明する。
【００１１】
このプレス加工装置７０は、図１に示すように、プレス金型１、３の衝合動作において、加工カム２が固定カム４のカム面６に接触したときに、加工カム２が固定カム４のカム面６に沿って移動するように加工カム２の動作を規制する規制部材１０を備えている。この実施形態では、規制部材１０は固定カム４と加工カム２に相互に係合する一対の規制部材１１、１２で構成している。
【００１２】
加工カム２側に配設した第１規制部材１１は、図２（ａ）に示すように、略矩形の片材であり、その両端部には一方の側面に突出した段差２１、２２を設けている。一端には加工カム２に取り付けるためのボルト孔２３を形成している。第１規制部材１１は、図３に示すように、段差２１を設けた面を加工カム２の側面に向けて、一端をボルト２４で加工カム２の側面に取り付け、他端を加工カム２から斜め下方に延在させている。この第１規制部材１１は一端に設けた段差２１を加工カム２の側面に向けて取り付けているので、中間部２５は加工カム２の側面から浮いている。下側の段差２２は、下端において内側に突出しており、上型１が降下したときに、固定カム４側に配設される第２規制部材１２に係合するようになっている。
【００１３】
第２規制部材１２は、図２（ｂ）に示すように、中間が屈曲した片材であり、一端には片面には小さな段差３１を設けてあり、固定カム４に取り付けるためのボルト孔３２を形成している。この第２規制部材１２は、図３に示すように、段差３１を固定カム４の側面に向け、他端を固定カム４から上方に向けて延在させて固定カム４にボルト３３で取り付けている。上型１が上方に位置し、加工カム２が所定の待機位置に有るとき、固定カム４に取り付けた第２規制部材１２の上方に延在した端部３４は、加工カム２に取り付けた第１規制部材１１の中間部２５と加工カム２の側面との空隙２６に対向している。
【００１４】
上型１が衝合動作において降下すると、図１に示すように、第２規制部材１２の端部３４は第１規制部材１１の中間部２５と加工カム２の側面との空隙２６に入り込む。このとき加工カム２に取り付けた第１規制部材１１の下端の段差２２は、固定カム４に取り付けた第２規制部材１２の上方に延在した部位３５の側面３６に近接する。加工カム２が固定カム４の傾斜したカム面６に勢いよく衝き当たっても、第１規制部材１１の下側の段差２２が第２規制部材１２の上方に延在した部位３５の側面３６に当たるので、加工カム２が叩き出されることはない。
【００１５】
さらに、この第１規制部材１１と第２規制部材１２は、上型１が衝合動作においてさらに降下し、下死点に至るとき、図４に示すように、第１規制部材１１の下側の段差２２の内側面２７と、第２規制部材１２の下側側縁部３７が係合する。この係合により、上型１が上昇する離隔動作において、加工カム２を加工位置から離脱させることができる。
【００１６】
このプレス加工装置７０によれば、上型１が下降する衝合動作において、第１規制部材１１と第２規制部材１２が相互に係合して、加工カム２は固定カム４のカム面６に沿うように動作が規制される。これにより、仮に上型１の衝合動作を高速化しても、加工カム２が固定カム４のカム面６に衝突して叩き出されることによる不具合を確実に防止できる。
【００１７】
また、この第１規制部材１１と第２規制部材１２は、既存の強制戻し機構に加工カム２の叩き出しを防止する規制部位（具体的には第２規制部材１２に上方に屈曲して延在した部位３５）を設けて加工カム２が叩き出されるのを防止する規制部位としての機能を持たせたものである。このように既存の強制戻し機構の部材を変更して、加工カム２が叩き出される動作を規制する機能を付加することにより、設備コストの低減化を図ることができる。
【００１８】
以上、本発明の一実施形態に係るプレス加工装置を説明したが、本発明に係るプレス加工装置は上記実施形態に限定されるものではない。
【００１９】
例えば、上記実施形態では、吊りカムタイプのプレス加工装置を例示したが、上型１に固定カム４を、下型３に加工カム２を配設した下置きカムタイプのプレス加工装置にも適用できる。下置きカムタイプのプレス加工装置８０では、例えば、図５に示すように、上述した第１規制部材１１を固定カム４に取り付け、第２規制部材１２を下型３に取り付けた加工カム２に取り付け、上型１が下降する衝合動作において、第１規制部材１１の下側の段差２２に第２規制部材１２の上方に延在した部位３５の側面３６を近接させ、加工カム２が固定カム４のカム面６に衝き当たったときに、加工カム２が叩き出されるのを防止するとよい。
【００２０】
また、規制部材の形状は上述した実施形態に限定されるものではない。例えば、図６に示すように、第２規制部材１２ａは加工カム２の強制戻し機構の機能を奏する部位のみとし、第１規制部材１１ａに下側の段差２２から下方に延在した部位２８を設けてもよい。この第１規制部材１１ａは、下側の段差２２から下方に延在した部位２８の側面２９が、上型１が下降する衝合動作において第２規制部材１２に近接し、加工カム２が固定カム４のカム面６に衝き当たったときに加工カム２が叩き出されるのを防止する。
【００２１】
また、上記の第１規制部材１１と第２規制部材１２は、既存の強制戻し機構の部材を改良し、強制戻し機構の機能を備えさせたものを例示したが、これに限らず加工カム２が叩き出されるのを防止する専用品としてもよい。
【００２２】
また、加工カム２が叩き出されるのを防止する規制部材は、加工カム２と固定カム４に取り付け相互に係合する一対の部材を例示したが、これに限定されず、例えば、図示は省略するが、加工カム２と、上型１又は下型３との間に、加工カム２が叩き出されるのを防止する規制部材を設けても良い。
【図面の簡単な説明】
【００２３】
【図１】本発明の一実施形態に係るプレス加工装置の規制部材を示す側面図である。
【図２】本発明の一実施形態に係るプレス加工装置の規制部材を示す斜視図である。
【図３】本発明の一実施形態に係るプレス加工装置の規制部材を示す側面図である。
【図４】本発明の一実施形態に係るプレス加工装置の規制部材を示す側面図である。
【図５】本発明の他の実施形態に係るプレス加工装置の規制部材を示す側面図である。
【図６】本発明の他の実施形態に係るプレス加工装置の規制部材を示す側面図である。
【図７】吊りカムタイプのプレス加工装置を示す側面図である。
【図８】吊りカムタイプのプレス加工装置を示す側面図である。
【図９】下置きカムタイプのプレス加工装置を示す側面図である。
【図１０】下置きカムタイプのプレス加工装置を示す側面図である。
【符号の説明】
【００２４】
１     上型
２     加工カム
３     下型
４     固定カム
６     カム面
７     加工刃
１０   規制部材
１１   第１規制部材
１２   第２規制部材
【図１】
2006272369.tif 000003
【図２】
2006272369.tif 000004
【図３】
2006272369.tif 000005
【図４】
2006272369.tif 000006
【図５】
2006272369.tif 000007
【図６】
2006272369.tif 000008
【図７】
2006272369.tif 000009
【図８】
2006272369.tif 000010
【図９】
2006272369.tif 000011
【図１０】
2006272369.tif 000012